(57)【要約】【課題】本発明は、アドレス放電を安定化させることができるプラズマディスプレイ装置及びプラズマディスプレイ装置の駆動方法を提供するためのものである。【解決手段】本発明は、第１スキャンパルスが供給される第１スキャン電極、第１スキャンパルスが供給された後に第２スキャンパルスが供給される第２スキャン電極、第１スキャン電極に対応する第１サステイン電極、及び第２スキャン電極に対応する第２サステイン電極を含むプラズマディスプレイパネルと、セットダウン期間に第１スキャン電極及び第２スキャン電極に第１電圧から第２電圧まで下降するセットダウンパルスと、アドレス期間に第１スキャンパルス及び第２スキャンパルスを供給するスキャン駆動部と、セットダウンパルスが供給される全体期間のうち、少なくとも一部の期間に第２サステイン電極に徐々に下降する電圧を形成するサステイン駆動部と、を含む。【選択図】図１
2007072464.tif 000002
【特許請求の範囲】
【請求項１】
第１スキャンパルスが供給される第１スキャン電極、前記第１スキャンパルスが供給された後に第２スキャンパルスが供給される第２スキャン電極、前記第１スキャン電極に対応する第１サステイン電極、及び前記第２スキャン電極に対応する第２サステイン電極を含むプラズマディスプレイパネルと、
セットダウン期間に前記第１スキャン電極及び前記第２スキャン電極に第１電圧から第２電圧まで下降するセットダウンパルスと、アドレス期間に前記第１スキャンパルス及び前記第２スキャンパルスを供給するスキャン駆動部と、
前記セットダウンパルスが供給される全体期間のうち、少なくとも一部の期間に前記第２サステイン電極に徐々に下降する電圧を形成するサステイン駆動部と、
を含むことを特徴とするプラズマディスプレイ装置。
【請求項２】
前記サステイン駆動部は、前記第２サステイン電極がフローティング状態になるようにすることで、前記徐々に下降する電圧を形成することを特徴とする請求項１記載のプラズマディスプレイ装置。
【請求項３】
前記セットダウン期間にバイアス電圧を前記第１サステイン電極に供給する他のサステイン駆動部を更に含むことを特徴とする請求項１記載のプラズマディスプレイ装置。
【請求項４】
前記第２サステイン電極に徐々に下降する電圧が形成される第１期間より小さな第２期間の間、前記第１サステイン電極に徐々に下降する電圧を形成する他のサステイン駆動部を更に含むことを特徴とする請求項１記載のプラズマディスプレイ装置。
【請求項５】
前記他のサステイン駆動部は、
前記第１サステイン電極をフローティング状態になるようにすることで、前記徐々に下降する電圧を形成することを特徴とする請求項４記載のプラズマディスプレイ装置。
【請求項６】
前記第２電圧は、前記第１スキャンパルス及び前記第２スキャンパルスの最低電圧より高いことを特徴とする請求項１記載のプラズマディスプレイ装置。
【請求項７】
前記第２電圧は、前記第１スキャンパルス及び前記第２スキャンパルスの最低電圧と実質的に同一であることを特徴とする請求項１記載のプラズマディスプレイ装置。
【請求項８】
前記第１スキャン電極及び前記第２スキャン電極に供給される前記第２電圧が所定期間間維持されることを特徴とする請求項１記載のプラズマディスプレイ装置。
【請求項９】
前記所定期間は、セットダウン期間の０．１倍以上０．５倍以下であることを特徴とする請求項８記載のプラズマディスプレイ装置。
【請求項１０】
第１スキャン電極、第２スキャン電極、前記第１スキャン電極に対応する第１サステイン電極、及び前記第２スキャン電極に対応する第２サステイン電極を含むプラズマディスプレイ装置の駆動方法であって、
セットダウン期間に第１電圧から第２電圧まで下降するセットダウンパルスを前記第１スキャン電極及び前記第２スキャン電極に供給するステップと、
前記第２スキャン電極に前記セットダウンパルスが供給される全体期間のうち、少なくとも一部の期間に前記第２サステイン電極に徐々に下降する電圧を形成するステップと、
第１スキャンパルスを前記第１スキャン電極に供給するステップと、
第２スキャンパルスを前記第２スキャン電極に供給するステップと、
を含むことを特徴とするプラズマディスプレイ装置の駆動方法。
【請求項１１】
前記第２サステイン電極がフローティング状態になることによって、前記徐々に下降する電圧が形成されることを特徴とする請求項１０記載のプラズマディスプレイ装置の駆動方法。
【請求項１２】
前記セットダウン期間にバイアス電圧が前記第１サステイン電極に供給されることを特徴とする請求項１０記載のプラズマディスプレイ装置の駆動方法。
【請求項１３】
前記第２サステイン電極に徐々に下降する電圧が形成される第１期間より小さな第２期間の間、前記第１サステイン電極に徐々に下降する電圧が形成されることを特徴とする請求項１０記載のプラズマディスプレイ装置の駆動方法。
【請求項１４】
前記第１サステイン電極がフローティング状態になることによって、前記第１サステイン電極に徐々に下降する電圧が形成されることを特徴とする請求項１３記載のプラズマディスプレイ装置の駆動方法。
【請求項１５】
前記第２電圧は、前記第１スキャンパルス及び前記第２スキャンパルスの最低電圧より高いことを特徴とする請求項１０記載のプラズマディスプレイ装置の駆動方法。
【請求項１６】
前記第２電圧は、前記第１スキャンパルス及び前記第２スキャンパルスの最低電圧と実質的に同一であることを特徴とする請求項１０記載のプラズマディスプレイ装置の駆動方法。
【請求項１７】
前記第１スキャン電極及び前記第２スキャン電極に供給される前記第２電圧が所定期間間維持されることを特徴とする請求項１０記載のプラズマディスプレイ装置の駆動方法。
【請求項１８】
前記所定期間は、セットダウン期間の０．１倍以上０．５倍以下であることを特徴とする請求項１７記載のプラズマディスプレイ装置の駆動方法。
【請求項１９】
第１スキャンパルスが供給される第１スキャン電極、前記第１スキャンパルスが供給された後に第２スキャンパルスが供給される第２スキャン電極、前記第１スキャン電極に対応する第１サステイン電極、及び前記第２スキャン電極に対応する第２サステイン電極を含むプラズマディスプレイパネルと、
セットダウン期間に前記第１スキャン電極に第１電圧から第２電圧まで下降する第１セットダウンパルスと前記第２スキャン電極に前記第１電圧から前記第２電圧より高い第３電圧まで下降する第２セットダウンパルスを供給し、アドレス期間に前記第１スキャンパルス及び前記第２スキャンパルスを供給するスキャン駆動部と、
前記第２スキャン電極に前記第２セットダウンパルスが供給される全体期間のうち、少なくとも一部の期間に前記第２サステイン電極に徐々に下降する電圧を形成するサステイン駆動部と、
を含むことを特徴とするプラズマディスプレイ装置。
【請求項２０】
前記サステイン駆動部は、前記第２サステイン電極がフローティング状態になるようにすることで、前記徐々に下降する電圧を形成することを特徴とする請求項１９記載のプラズマディスプレイ装置。
【請求項２１】
前記セットダウン期間にバイアス電圧を前記第１サステイン電極に供給する他のサステイン駆動部を更に含むことを特徴とする請求項１９記載のプラズマディスプレイ装置。
【請求項２２】
前記第２スキャン電極と前記第２サステイン電極との間の電圧差が減少する期間より小さな期間の間、前記第１サステイン電極に徐々に下降する電圧を形成する他のサステイン駆動部を更に含むことを特徴とする請求項１９記載のプラズマディスプレイ装置。
【請求項２３】
前記他のサステイン駆動部は、
前記第１サステイン電極をフローティング状態になるようにすることで、前記第１サステイン電極に前記徐々に下降する電圧を形成することを特徴とする請求項２２記載のプラズマディスプレイ装置。
【発明の詳細な説明】
【技術分野】
【０００１】
本発明は、プラズマディスプレイ装置及びプラズマディスプレイ装置の駆動方法に関するものである。
【背景技術】
【０００２】
プラズマディスプレイ装置は、不活性混合ガスの放電により発生した紫外線が蛍光体を励起させる時に生成される光を用いて画像を表示する。
【０００３】
プラズマディスプレイ装置は、画像の階調を具現するために１つのフレームを発光回数の異なる多数のサブフィールドに分けて時分割駆動する。各サブフィールドは、放電セルを初期化させるためのリセット期間、放電セルを選択するためのアドレス期間、及び階調を具現するサステイン期間を含む。
【０００４】
即ち、プラズマディスプレイ装置は、リセット期間で、全ての放電セルに充分の壁電荷を形成した後、一定量の壁電荷を消去することにより放電セルを初期化する。
【０００５】
プラズマディスプレイ装置は、アドレス期間で、スキャン電極にスキャンパルスを供給し、スキャンパルスに同期化してアドレス電極に映像信号に該当するデータパルスを供給することにより放電セルを選択する。
【０００６】
プラズマディスプレイ装置は、サステイン期間にスキャン電極またはサステイン電極のうち、少なくとも１つの電極にサステインパルスを供給することにより、アドレス期間に選択された放電セルでサステイン放電が起こるようにする。
【０００７】
放電セルを初期化するためのリセット期間では、プラズマディスプレイ装置のスキャン電極とサステイン電極との間で発生する面放電でコントラスト特性を低下させる暗放電が起こる。
【０００８】
また、リセット期間で、放電セルを初期化するためにスキャン電極に供給されるリセットパルスは全てのスキャン電極に同時に供給される一方、アドレス期間で、スキャン電極に供給されるスキャンパルスは順次に供給されるので、アドレス期間の後半部で放電セルの壁電荷の損失が大きく発生してアドレス放電が不安定になる問題点が発生する。
【発明の開示】
【発明が解決しようとする課題】
【０００９】
本発明は、アドレス放電を安定化させることができるプラズマディスプレイ装置及びプラズマディスプレイ装置の駆動方法を提供することを目的とする。
【００１０】
本発明の他の目的は、コントラスト特性を向上させることができるプラズマディスプレイ装置及びプラズマディスプレイ装置の駆動方法を提供することにある。
【００１１】
本発明の更に他の目的は、プラズマディスプレイ装置の製造費用を低減するプラズマディスプレイ装置及びプラズマディスプレイ装置の駆動方法を提供することにある。
【課題を解決するための手段】
【００１２】
本発明の実施形態に係るプラズマディスプレイ装置は、第１スキャンパルスが供給される第１スキャン電極、前記第１スキャンパルスが供給された後に第２スキャンパルスが供給される第２スキャン電極、前記第１スキャン電極に対応する第１サステイン電極、及び前記第２スキャン電極に対応する第２サステイン電極を含むプラズマディスプレイパネル、セットダウン期間に前記第１スキャン電極及び前記第２スキャン電極に第１電圧から第２電圧まで下降するセットダウンパルスと、アドレス期間に前記第１スキャンパルス及び前記第２スキャンパルスを供給するスキャン駆動部、及び前記セットダウンパルスが供給される全体期間のうち、少なくとも一部の期間に前記第２サステイン電極に徐々に下降する電圧を形成するサステイン駆動部と、を含む。
【００１３】
前記サステイン駆動部は、前記第２サステイン電極がフローティング状態になるようにすることで、前記徐々に下降する電圧を形成することができる。
【００１４】
前記セットダウン期間にバイアス電圧を前記第１サステイン電極に供給する他のサステイン駆動部を更に含むことができる。
【００１５】
前記第２サステイン電極に徐々に下降する電圧が形成される第１期間より小さな第２期間の間、前記第１サステイン電極に徐々に下降する電圧を形成する他のサステイン駆動部を更に含むことができる。
【００１６】
前記更に他のサステイン駆動部は、前記第１サステイン電極をフローティング状態になるようにすることで、前記徐々に下降する電圧を形成することができる。
【００１７】
前記第２電圧は、前記第１スキャンパルス及び前記第２スキャンパルスの最低電圧より高いことができる。
【００１８】
前記第２電圧は、前記第１スキャンパルス及び前記第２スキャンパルスの最低電圧と実質的に同一であることができる。
【００１９】
前記第１スキャン電極及び前記第２スキャン電極に供給される前記第２電圧が所定期間間維持されることができる。
【００２０】
前記所定期間は、セットダウン期間の０．１倍以上０．５倍以下であることができる。
【００２１】
本発明の実施形態に係るプラズマディスプレイ装置の駆動方法は、セットダウン期間に第１電圧から第２電圧まで下降するセットダウンパルスを前記第１スキャン電極及び前記第２スキャン電極に供給するステップと、前記第２スキャン電極に前記セットダウンパルスが供給される全体期間のうち、少なくとも一部の期間に前記第２サステイン電極に徐々に下降する電圧を形成するステップと、第１スキャンパルスを前記第１スキャン電極に供給するステップと、第２スキャンパルスを前記第２スキャン電極に供給するステップと、を含む。
【００２２】
前記第２サステイン電極がフローティング状態になることによって、前記徐々に下降する電圧が形成されることができる。
【００２３】
前記セットダウン期間にバイアス電圧が前記第１サステイン電極に供給されることができる。
【００２４】
前記第２サステイン電極に徐々に下降する電圧が形成される第１期間より小さな第２期間の間、前記第１サステイン電極に徐々に下降する電圧が形成されることができる。
【００２５】
前記第１サステイン電極がフローティング状態になることにより、前記第１サステイン電極に徐々に下降する電圧が形成されることができる。
【００２６】
前記第２電圧は、前記第１スキャンパルス及び前記第２スキャンパルスの最低電圧より高いことができる。
【００２７】
前記第２電圧は、前記第１スキャンパルス及び前記第２スキャンパルスの最低電圧と実質的に同一であることができる。
【００２８】
前記第１スキャン電極及び前記第２スキャン電極に供給される前記第２電圧が所定期間間維持されることができる。
【００２９】
前記所定期間は、セットダウン期間の０．１倍以上０．５倍以下であることができる。
【００３０】
本発明の実施形態に係るプラズマディスプレイ装置は、第１スキャンパルスが供給される第１スキャン電極、前記第１スキャンパルスが供給された後に第２スキャンパルスが供給される第２スキャン電極、前記第１スキャン電極に対応する第１サステイン電極、及び前記第２スキャン電極に対応する第２サステイン電極を含むプラズマディスプレイパネル、セットダウン期間に前記第１スキャン電極に第１電圧から第２電圧まで下降する第１セットダウンパルスと前記第２スキャン電極に前記第１電圧から前記第２電圧より高い第３電圧まで下降する第２セットダウンパルスを供給し、アドレス期間に前記第１スキャンパルス及び前記第２スキャンパルスを供給するスキャン駆動部、前記第２スキャン電極に前記第２セットダウンパルスが供給される全体期間のうち、少なくとも一部の期間に前記第２サステイン電極に徐々に下降する電圧を形成するサステイン駆動部を含む。
【００３１】
前記サステイン駆動部は、前記第２サステイン電極がフローティング状態になるようにすることで、前記徐々に下降することができる。
【００３２】
前記セットダウン期間にバイアス電圧を前記第１サステイン電極に供給する更に他のサステイン駆動部を更に含むことができる。
【００３３】
前記第２スキャン電極と前記第２サステイン電極との間の電圧差が減少する期間より小さな期間の間、前記第１サステイン電極に徐々に下降する電圧を形成する更に他のサステイン駆動部を更に含むことができる。
【００３４】
前記更に他のサステイン駆動部は、前記第１サステイン電極をフローティング状態になるようにすることで、前記第１サステイン電極に前記徐々に下降する電圧を形成することができる。
【発明の効果】
【００３５】
本発明に係るプラズマ表示装置及びプラズマディスプレイ装置の駆動方法は、スキャン順序によってセットダウン放電の強度を調節することにより、コントラスト特性を向上させる。
【００３６】
本発明に係るプラズマ表示装置及びプラズマディスプレイ装置の駆動方法は、スキャン順序によってセットダウン放電の強度を調節することにより、アドレス放電を安定させる。
【００３７】
本発明に係るプラズマ表示装置及びプラズマディスプレイ装置の駆動方法は、スキャン順序によってセットダウン放電の強度を調節することにより、プラズマディスプレイ装置の製造費用を低減させる。
【発明を実施するための最良の形態】
【００３８】
以下、本発明に係る具体的な実施形態を添付した図面を参照しつつ説明する。
【００３９】
図１は、本発明の第１実施形態に係るプラズマディスプレイ装置を示す図である。図１に示すように、本発明の第１実施形態に係るプラズマディスプレイ装置は、プラズマディスプレイパネル１００、データ駆動部１１０、スキャン駆動部１２０、第１サステイン駆動部１３０、第２サステイン駆動部１４０、タイミングコントローラー１５０、及び駆動電圧発生部１６０を含む。
【００４０】
プラズマディスプレイパネル１００は、スキャン電極（Ｙ１乃至Ｙｎ）及びサステイン電極（ＺＴ、ＺＢ）を含む。全サステイン電極（ＺＴ、ＺＢ）は、第１サステイン電極群（ＺＴ）及び第２サステイン電極群（ＺＢ）を含み、各サステイン電極群に含まれたサステイン電極は共通に連結される。第１サステイン電極群（ＺＴ）に対応するスキャン電極が第２サステイン電極群（ＺＢ）に対応するスキャン電極に比べて先にスキャンされる。また、プラズマディスプレイパネル１００は、スキャン電極（Ｙ１乃至Ｙｎ）、第１サステイン電極群（ＺＴ）及び第２サステイン電極群（ＺＢ）と交差するアドレス電極（Ｘ１乃至Ｘｍ）を含む。
【００４１】
データ駆動部１１０は、逆ガンマ補正、ハーフトーニング、及びサブフィールドマッピング過程を経た映像信号に該当するデータパルスをアドレス電極（Ｘ１乃至Ｘｍ）に供給する。
【００４２】
スキャン駆動部１２０は、リセット期間の間、放電セルを初期化するためにスキャン電極（Ｙ１乃至Ｙｎ）に徐々に上昇するセットアップパルスと徐々に下降するセットダウンパルスを含むリセットパルスを供給する。スキャン駆動部１２０は、リセット期間後、アドレス期間の間、スキャンラインを選択するためにスキャン基準電圧（Ｖｓｃ）とスキャン電圧（−Ｖｙ）まで下降するスキャンパルスをスキャン電極（Ｙ１乃至Ｙｎ）に順次に供給する。スキャン駆動部１２０は、サステイン期間の間、アドレス期間で選択された放電セルでサステイン放電が起こることができるようにするサステインパルスをスキャン電極（Ｙ１乃至Ｙｎ）に供給する。
【００４３】
第１サステイン駆動部１３０は、タイミングコントローラー１５０の制御下にセットダウン期間及びアドレス期間の間、正極性のサステイン電圧（Ｖｓ）レベルを有するバイアス電圧（Ｖｚ）を供給した後、サステイン期間の間、スキャン駆動部１２０と交互に動作してサステインパルスを第１サステイン電極群（ＺＴ）に供給する。
【００４４】
第２サステイン駆動部１４０は、タイミングコントローラー１５０の制御下にセットダウン期間の間、正極性のサステイン電圧（Ｖｓ）レベルを有するバイアス電圧（Ｖｚ）を第２サステイン電極群（ＺＢ）に供給する。第２サステイン駆動部１４０は、セットダウンパルスが供給される全体期間のうち、少なくとも一部の期間で第２サステイン電極群（ＺＢ）に徐々に下降する電圧を形成する。第２サステイン電極群（ＺＢ）に徐々に下降する電圧が形成されることにより、第２サステイン電極群（ＺＢ）と、第２サステイン電極群（ＺＢ）に対応するスキャン電極（Ｙｎ／２＋１乃至しＹｎ）間の電位差が減少する。第２サステイン駆動部１４０は、アドレス期間の間、正極性のサステイン電圧（Ｖｓ）レベルを有するバイアス電圧（Ｖｚ）を第２サステイン電極群（ＺＢ）に供給する。第２サステイン駆動部１４０は、サステイン期間の間、スキャン駆動部１２０と交互に動作してサステインパルスを第２サステイン電極群（ＺＢ）に供給する。
【００４５】
タイミングコントローラー１５０は、垂直／水平同期信号の入力を受けて、タイミング制御信号（ＣＴＲＸ、ＣＴＲＹ、ＣＴＲＺ）を駆動部１１０、１２０、１３０、１４０に各々供給する。データ駆動部１１０に供給されるタイミング制御信号（ＣＴＲＸ）は、データをサンプリングするためのサンプリングクロック、ラッチ制御信号、駆動スイッチ素子のオン／オフタイムを制御するためのスイッチ制御信号を含む。スキャン駆動部１２０に供給されるタイミング制御信号（ＣＴＲＹ）は、スキャン駆動部１２０内のエネルギー回収回路と駆動スイッチ素子のオン／オフタイムを制御するためのスイッチ制御信号が含まれる。第１及び第２サステイン駆動部１３０、１４０に供給されるタイミング制御信号（ＣＴＲＺ）には、第１及び第２サステイン駆動部１３０、１４０内のエネルギー回収回路と駆動スイッチ素子のオン／オフタイムを制御するためのスイッチ制御信号が含まれる。特に、タイミングコントローラー１５０は、セットダウンパルスがスキャン電極（Ｙ１乃至Ｙｎ）に供給される全体期間のうち、少なくとも一部の期間の間、第２サステイン電極駆動部１４０が第２サステイン電極群（ＺＢ）に徐々に下降する電圧を形成するためのタイミング制御信号を第２サステイン電極駆動部１４０に出力する。
【００４６】
駆動電圧発生部１６０は、サステイン電圧（Ｖｓ）、スキャン基準電圧（Ｖｓｃ）、データ電圧（Ｖａ）、セットダウン電圧（−Ｖｗ）、及びスキャン電圧（−Ｖｙ）などを含んで、各駆動部１１０、１２０、１３０、１４０で必要とする各種の駆動電圧を発生する。このような駆動電圧は、放電ガスの組成や放電セル構造によって変わることができる。
【００４７】
図２は、本発明の第１実施形態に係るプラズマディスプレイ装置の駆動信号の波形図である。図２に示すように、本発明の第１実施形態に係るプラズマディスプレイ装置は、放電セルを初期化させるためのリセット期間（ＲＰ）、放電するセルを選択するためのアドレス期間（ＡＰ）、及び選択された放電セルの放電を維持させるためのサステイン期間（ＳＰ）で駆動される。
【００４８】
スキャン駆動部１２０は、リセット期間（ＲＰ）のセットアップ期間（ＳＵ）の間、全てのスキャン電極（Ｙ１乃至Ｙｎ）に正極性傾きのセットアップパルス（ＰＲ）を同時に供給する。セットアップパルス（ＰＲ）により全画面の放電セル内には弱い暗放電（Dark Discharge）が起こる。セットアップ放電により正極性壁電荷がアドレス電極（Ｘ１乃至Ｘｍ）、第１サステイン電極群（ＺＴ）及び第２サステイン電極群（ＺＢ）の上に積まれることになり、スキャン電極（Ｙ１乃至Ｙｎ）上には負極性の壁電荷が積まれる。
【００４９】
スキャン駆動部１２０は、セットダウン期間（ＳＤ）の間に全てのスキャン電極（Ｙ１乃至Ｙｎ）に第１電圧（Ｖ１）から第２電圧（Ｖ２）まで徐々に下降するセットダウンパルス（ＮＲ）を供給する。第１サステイン駆動部１３０が第１サステイン電極群（ＺＴ）に正極性のサステイン電圧（Ｖｓ）レベルを有するバイアス電圧（Ｖｚ）を供給する。
【００５０】
これによって、アドレス電極（Ｘ１乃至Ｘｍ）の正極性壁電荷がそのまま維持され、第１サステイン電極群（ＺＴ）の正極性壁電荷が第１サステイン電極群（ＺＴ）とスキャン電極（Ｙ１乃至Ｙｎ／２）との間の放電により一定量消去され、スキャン電極（Ｙ１乃至Ｙｎ／２）に積まれていた多量の負極性電荷の一部が第１サステイン電極群（ＺＴ）へ移動する。セットダウン放電は、アドレス放電が安定に起こることができる程度の壁電荷を放電セル内に均一に残留させる。
【００５１】
第２サステイン駆動部１４０は、正極性のサステイン電圧（Ｖｓ）レベルを有するバイアス電圧（Ｖｚ）を第２サステイン電極群（ＺＢ）に供給し、セットダウンパルスが供給される全体期間（ＴＰ）のうち、少なくとも一部の期間に第２サステイン電極群（ＺＢ）をフローティング状態になるようにする。即ち、第２サステイン駆動部１４０のスイッチ（Ｓ５乃至Ｓ８）がタイミングコントローラー１５０の制御によりターンオフすることにより、第２サステイン駆動部１４０は、第２サステイン電極群（ＺＢ）をフローティング状態になるようにする。これによって、バイアス電圧（Ｖｚ）から徐々に下降する電圧が第２サステイン電極群（ＺＢ）に形成され、第２サステイン電極群（ＺＢ）に対応するスキャン電極（Ｙ（ｎ／２））＋１乃至Ｙｎ）と第２サステイン電極群（ＺＢ）の電圧差が減少する。
【００５２】
第２サステイン電極群（ＺＢ）に対応するスキャン電極（Ｙ（ｎ／２））＋１乃至Ｙｎ）と第２サステイン電極群（ＺＢ）の電圧差が減少すれば、スキャン電極（Ｙｎ／２＋１乃至Ｙｎ）と第２サステイン電極群（ＺＢ）との間の放電強度がスキャン電極（Ｙ１乃至Ｙｎ／２）と第１サステイン電極群（ＺＴ）との間の放電の強度より小さいため、スキャン電極（Ｙ（ｎ／２）＋１乃至Ｙｎ）に残留する負極性電荷の量はスキャン電極（Ｙ１乃至Ｙｎ／２）に残留する負極性電荷の量より大きい。
【００５３】
第２サステイン電極群（ＺＢ）に対応するスキャン電極（Ｙ（ｎ／２））＋１乃至Ｙｎ）が第１サステイン電極群（ＺＴ）に対応するスキャン電極（Ｙ１乃至Ｙｎ／２）より後でスキャンされるので、アドレス期間（ＡＰ）の後半部で放電セルの空間電荷と壁電荷との結合による壁電荷損失の可能性が大きくなる。したがって、第２サステイン電極群（ＺＢ）に対応するスキャン電極（Ｙ（ｎ／２））＋１乃至Ｙｎ）と第２サステイン電極群（ＺＢ）との電圧差が減少すれば、スキャン電極（Ｙ（ｎ／２）＋１乃至Ｙｎ）に残留する負極性電荷の量はスキャン電極（Ｙ１乃至Ｙｎ／２）に残留する負極性電荷の量より大きいので、スキャン電極（Ｙ（ｎ／２））＋１乃至Ｙｎ）に該当する放電セルで起こるアドレス放電の不安定性が減少する。また、スキャン電極（Ｙｎ／２＋１乃至Ｙｎ）と第２サステイン電極群（ＺＢ）との間の放電強度が小さくなるので、コントラスト特性が向上する。
【００５４】
第２サステイン駆動部１４０は、第２サステイン電極群（ＺＢ）をフローティング状態になるようにすることで、別途の回路追加なしに第２サステイン電極群（ＺＢ）とスキャン電極（Ｙｎ／２＋１乃至Ｙｎ）との電位差を減少させることにより、プラズマディスプレイ装置の製造費用が減少する。
【００５５】
セットダウン放電の強度を調節してプラズマ表示装置のコントラスト比特性を向上させて、セットアップ期間（ＳＵ）の間に形成された壁電荷量を適正水準で消去するためにセットダウンパルス（ＮＲ）の最低電圧（−Ｖｗ）はアドレス期間（ＡＰ）の間、スキャン電極（Ｙ１乃至Ｙｎ）に供給されるスキャンパルス（ＳＣＮＰ）の最低電圧（−Ｖｙ）より高くすることができる。
【００５６】
スキャン駆動部１２０は、所定の期間（△Ｔ１）の間、セットダウンパルス（ＮＲ）の最低電圧（−Ｖｗ）を維持することができる。セットダウンパルス（ＮＲ）の最低電圧（−Ｖｗ）が所定期間（△Ｔ１）間維持されることによって、壁電荷の分布が適切に安定化することができる。所定期間（△Ｔ１）は、全体セットダウン期間（ＳＤ）の０．１倍以上０．５倍以下であることができる。所定期間（△Ｔ１）が全セットダウン期間（ＳＤ）の０．１倍以上０．５倍以下に調節されれば、セットダウン放電が適正な水準に起こることができ、壁電荷分布量が適切に安定化することができる。
【００５７】
データ駆動部１１０は、アドレス期間（ＡＰ）の間、アドレス電極（Ｘ１乃至Ｘｍ）にグラウンドレベルの電圧（ＧＮＤ）からデータ電圧（Ｖａ）まで上昇するデータパルス（ＤＰ）を供給する。スキャン駆動部１２０は、スキャン電極（Ｙ１乃至Ｙｎ）にスキャン基準電圧（Ｖｓｃ）からスキャン電圧（−Ｖｙ）まで下降するスキャンパルス（ＳＣＮＰ）を供給する。アドレス期間にアドレス電極（Ｘ１乃至Ｘｍ）とスキャン電極（Ｙ１乃至Ｙｎ）との間に印加される電圧差と、アドレス電極（Ｘ１乃至Ｘｍ）とスキャン電極（Ｙ１乃至Ｙｎ）との間の壁電圧とによりアドレス放電が発生する。
【００５８】
第１サステイン駆動部１３０と第２サステイン駆動部１４０は、第１サステイン電極群（ＺＴ）及び第２サステイン電極群（ＺＢ）にアドレス期間（ＡＰ）の間、サステイン電圧（Ｖｓ）レベルを有するバイアス電圧（Ｖｚ）を供給する。
【００５９】
第１サステイン駆動部１３０と第２サステイン駆動部１４０は、サステイン期間（ＳＰ）の間に第１サステイン電極群（ＺＴ）及び第２サステイン電極群（ＺＢ）にグラウンドレベルの電圧（ＧＮＤ）からサステイン電圧（Ｖｓ）まで上昇するサステインパルス（ＳＵＳＰ）を供給する。スキャン駆動部１２０は、第１サステイン電極群（ＺＴ）及び第２サステイン電極群（ＺＢ）に供給されたサステインパルス（ＳＵＳＰ）と交番するサステインパルス（ＳＵＳＰ）を供給する。
【００６０】
図３は、本発明の第２実施形態に係るプラズマディスプレイ装置を示す図である。本発明の第２実施形態に係るプラズマディスプレイ装置のプラズマディスプレイパネル１００、データ駆動部１１０、スキャン駆動部１２０、及び駆動電圧発生部１６０は、第１実施形態と同一であるので詳細な説明を省略する。
【００６１】
第１サステイン駆動部１３０’は、第１サステイン電極群（ＺＴ）を駆動し、タイミングコントローラー１５０の制御によって第１サステイン電極群（ＺＴ）に徐々に下降する電圧を形成する。即ち、第１サステイン駆動部１３０’は、セットダウンパルスが供給される全体期間のうち、少なくとも一部の期間で第１サステイン電極群（ＺＴ）に徐々に下降する電圧を形成する。
【００６２】
第２サステイン駆動部１４０は、第２サステイン電極群（ＺＢ）を駆動し、タイミングコントローラー１５０の制御によって第２サステイン電極群（ＺＢ）に徐々に下降する電圧を形成する。即ち、第２サステイン駆動部１４０は、セットダウンパルスが供給される全体期間のうち、少なくとも一部の期間で第２サステイン電極群（ＺＢ）に徐々に下降する電圧を形成する。
【００６３】
本発明の第２実施形態に係るプラズマディスプレイ装置では、第１サステイン駆動部１３０’が徐々に下降する電圧を形成する期間は、第２サステイン駆動部１４０が徐々に下降する電圧を形成する期間より小さい。
【００６４】
タイミングコントローラー１５０は、第１サステイン駆動部１３０’及び第２サステイン駆動部１４０が徐々に下降する電圧を形成するためのタイミング制御信号を出力する。
【００６５】
図４は、本発明の第２実施形態に係るプラズマディスプレイ装置の駆動信号の波形図である。本発明の第２実施形態に係るプラズマディスプレイ装置は、放電セルを初期化させるためのリセット期間（ＲＰ）、放電するセルを選択するためのアドレス期間（ＡＰ）、及び選択された放電セルの放電を維持させるためのサステイン期間（ＳＰ）で駆動される。
【００６６】
スキャン駆動部１２０は、リセット期間（ＲＰ）のセットアップ期間（ＳＵ）の間、全てのスキャン電極（Ｙ１乃至Ｙｎ）に正極性傾きのセットアップパルス（ＰＲ）を同時に供給する。セットアップパルス（ＰＲ）により全画面の放電セル内には弱い暗放電（Dark Discharge）が起こる。セットアップ放電により正極性壁電荷がアドレス電極（Ｘ１乃至Ｘｍ）、第１サステイン電極群（ＺＴ）及び第２サステイン電極群（ＺＢ）上に積まれることになり、スキャン電極（Ｙ１乃至Ｙｎ）上には負極性の壁電荷が積まれる。
【００６７】
スキャン駆動部１２０は、セットダウン期間（ＳＤ）の間に全てのスキャン電極（Ｙ１乃至Ｙｎ）に第１電圧（Ｖ１）から第２電圧（Ｖ２）まで徐々に下降するセットダウンパルス（ＮＲ）を供給する。本発明の第２実施形態では、第２電圧（Ｖ２）の最低値はスキャンパルス（ＳＣＮＰ）の最低値（−Ｖｙ）と実質的に同じである。
【００６８】
第１サステイン駆動部１３０’及び第２サステイン駆動部１４０は、セットダウン期間（ＳＤ）の一部期間の間、第１サステイン電極群（ＺＴ）及び第２サステイン電極群（ＺＢ）に正極性のサステイン電圧（Ｖｓ）レベルを有するバイアス電圧（Ｖｚ）を供給する。
【００６９】
これによって、アドレス電極（Ｘ１乃至Ｘｍ）の正極性壁電荷はそのまま維持され、第１サステイン電極群（ＺＴ）及び第２サステイン電極群（ＺＢ）の正極性壁電荷が第１サステイン電極群（ＺＴ）とスキャン電極（Ｙ１乃至Ｙｎ／２）、そして第２サステイン電極群（ＺＢ）とスキャン電極（Ｙ（ｎ／２）＋１乃至Ｙｎ）間の放電により一定量が消去され、スキャン電極（Ｙ１乃至Ｙｎ）に積まれていた多量の負極性電荷の一部が第１サステイン電極群（ＺＴ）及び第２サステイン電極群（ＺＢ）へ移動する。
【００７０】
第１サステイン駆動部１３０’及び第２サステイン駆動部１４０は、セットダウンパルスが供給される全体期間（ＴＰ）のうち、少なくとも一部の期間（△ｔ１、△ｔ２）に第１サステイン電極群（ＺＴ）及び第２サステイン電極群（ＺＢ）をフローティング状態になるようにする。即ち、第１サステイン駆動部１３０’のスイッチ（Ｓ１乃至Ｓ４）がタイミングコントローラー１５０の制御によってターンオフすることで、第１サステイン駆動部１３０’は、第１サステイン電極群（ＺＴ）をフローティング状態になるようにする。また、第２サステイン駆動部１４０のスイッチ（Ｓ５乃至Ｓ８）がタイミングコントローラー１５０の制御によってターンオフすることで、第２サステイン駆動部１４０は第２サステイン電極群（ＺＢ）をフローティング状態になるようにする。
【００７１】
これによって、バイアス電圧（Ｖｚ）から徐々に下降する電圧が第１サステイン電極群（ＺＴ）及び第２サステイン電極群（ＺＢ）に形成され、第１サステイン電極群（ＺＴ）及び第２サステイン電極群（ＺＢ）とスキャン電極（Ｙ１乃至Ｙｎ）と間の電圧差が減少する。
【００７２】
フローティング状態になる第１期間（△ｔ１）が第２期間（△ｔ２）より大きいので、スキャン電極（Ｙｎ／２＋１乃至Ｙｎ）と第２サステイン電極群（ＺＢ）との間の放電強度が、スキャン電極（Ｙ１乃至Ｙｎ／２）と第１サステイン電極群（ＺＴ）との間の放電の強度より小さい。したがって、スキャン電極（Ｙ（ｎ／２）＋１乃至Ｙｎ）に残留する負極性電荷の量はスキャン電極（Ｙ１乃至Ｙｎ／２）に残留する負極性電荷の量より大きい。
【００７３】
第２サステイン電極群（ＺＢ）に対応するスキャン電極（Ｙ（ｎ／２））＋１乃至Ｙｎ）が第１サステイン電極群（ＺＴ）に対応するスキャン電極（Ｙ１乃至Ｙｎ／２）より後でスキャンされるので、アドレス期間（ＡＰ）の後半部で放電セルの空間電荷と壁電荷との結合による壁電荷損失の可能性が大きくなる。スキャン電極（Ｙ（ｎ／２）＋１乃至Ｙｎ）に残留する負極性電荷の量はスキャン電極（Ｙ１乃至Ｙｎ／２）に残留する負極性電荷の量より大きいので、スキャン電極（Ｙ（ｎ／２））＋１乃至Ｙｎ）に該当する放電セルで起こるアドレス放電の不安定性が減少する。また、スキャン電極（Ｙ１乃至Ｙｎ／２）と第１サステイン電極群（ＺＴ）との間、そしてスキャン電極（Ｙｎ／２＋１乃至Ｙｎ）と第２サステイン電極群（ＺＢ）との間の放電強度が小さくなるので、コントラスト特性が向上する。
【００７４】
第１サステイン駆動部１３０’と第２サステイン駆動部１４０は、第２サステイン電極群（ＺＢ）をフローティング状態になるようにすることで、別途の回路追加なしに第２サステイン電極群（ＺＢ）とスキャン電極（Ｙｎ／２＋１乃至Ｙｎ）との電位差を減少させることにより、プラズマディスプレイ装置の製造費用が減少する。
【００７５】
スキャン駆動部１２０は、アドレス期間の間、スキャン電極（Ｙ１乃至Ｙｎ）に正極性のスキャン基準電圧（Ｖｓｃ）とスキャン基準電圧（Ｖｓｃ）からスキャン電圧（−Ｖｙ）まで下降するスキャンパルスを順次に供給する。また、スキャン駆動部１２０は、サステイン期間の間、サステインパルス（ＳＵＳＰ）をスキャン電極（Ｙ１乃至Ｙｎ）に供給する。
【００７６】
第１サステイン駆動部１３０’及び第２サステイン駆動部１４０は、アドレス期間にバイアス電圧を、そしてサステイン期間にサステインパルス（ＳＵＳＰ）を第１サステイン電極群（ＺＴ）及び第２サステイン電極群（ＺＢ）に供給する。
【００７７】
図５は、本発明の第２実施形態に係るプラズマ表示装置の駆動信号のうち、セットダウン期間の間に供給される駆動信号を示す図である。第２サステイン電極群（ＺＢ）がフローティング状態になる期間（△ｔ１）が第１サステイン電極群（ＺＴ）がフローティング状態になる期間（△ｔ２）より大きい。第２サステイン電極群（ＺＢ）に形成されるセットダウン制御パルスの最低値（VＺＢ１）は、第１サステイン電極群（ＺＴ）に形成される電圧の最低値（VＺＴ１）より小さい。
【００７８】
セットダウンパルス（ＮＲ）の最低電圧（Ｖ２）は、スキャンパルス（ＳＣＮＰ）の最低電圧（−Ｖｙ）と実質的に同一であることができる。これによって、１つの電圧源でスキャンパルス（ＳＣＮＰ）とセットダウンパルス（ＮＲ）が形成できるので、プラズマディスプレイ装置の製造費用が低減する。
【００７９】
スキャン駆動部１２０は、所定の期間（△Ｔ２）の間、セットダウンパルス（ＮＲ）の最低電圧（−Ｖｙ）を維持することができる。セットダウンパルス（ＮＲ）の最低電圧（−Ｖｗ）が所定期間（△Ｔ２）間維持されることによって、壁電荷分布が適切に安定化することができる。所定期間（△Ｔ２）は、全セットダウン期間（ＳＤ）の０．１倍以上０．５倍以下であることができる。所定期間（△Ｔ２）が全セットダウン期間（ＳＤ）の０．１倍以上０．５倍以下に調節されれば、セットダウン放電が適正な水準に起こることができ、壁電荷分布量が適切に安定化することができる。
【００８０】
図６は、本発明の第３実施形態に係るプラズマディスプレイ装置を示す図である。図７は、本発明の第３実施形態に係るプラズマディスプレイ装置の駆動信号の波形図である。本発明の第３実施形態のプラズマディスプレイパネル１００、データ駆動部１１０、及び駆動電圧発生部１６０は、本発明の第１実施形態及び第２実施形態と同一であるので、詳細な説明を省略する。
【００８１】
スキャン駆動部１２０’は、セットダウン期間に、第１スキャン電極群（ＹＴ）に第１電圧（Ｖ１）から第２電圧（Ｖ２）まで下降する第１セットダウンパルス（ＮＲ１）と、第２スキャン電極群（ＹＢ）に第１電圧（Ｖ１）から第２電圧（Ｖ２）より高い第３電圧（Ｖ３）まで下降する第２セットダウンパルス（ＮＲ２）を供給する。スキャン駆動部１２０’は、アドレス期間に第１スキャンパルス（ＳＣＮＰ１）及び第２スキャンパルス（ＳＣＮＰ２）を供給する。第１スキャン電極群（ＹＴ）は、スキャン電極Ｙ１乃至スキャン電極Ｙｎ／２を含み、第２スキャン電極群（ＹＢ）はスキャン電極Ｙ（ｎ／２）＋１乃至スキャン電極Ｙｎを含む。
【００８２】
第１サステイン駆動部１３０は、セットダウン期間にバイアス電圧（Ｖｚ）を第１サステイン電極群（ＺＴ）に供給する。
【００８３】
第２サステイン駆動部１４０は、セットダウン期間にバイアス電圧（Ｖｚ）を第２サステイン電極群（ＺＢ）に供給するとともに、第２スキャン電極群（ＹＢ）に第２セットダウンパルス（ＮＲ２）が供給される全体期間のうち、少なくとも一部の期間の間、第２サステイン電極群（ＺＢ）に徐々に下降する電圧を形成する。
【００８４】
タイミングコントローラー１５０は、第２サステイン駆動部１４０のスイッチ（Ｓ５乃至Ｓ８）をターンオフさせるためのタイミング制御信号を出力する。これによって、第２サステイン駆動部１４０’は、第２サステイン電極群（ＺＢ）がフローティング状態になるようにすることで、第２サステイン電極群（ＺＢ）に徐々に下降する電圧を形成する。
【００８５】
第２スキャン電極群（ＹＢ）より先にスキャン過程がなされる第１スキャン電極群（ＹＴ）に供給される第１セットダウンパルス（ＮＲ１）の第２電圧（Ｖ２）が第２セットダウンパルス（ＮＲ２）の第３電圧（Ｖ３）より低いので、第１スキャン電極群（ＹＴ）の壁電荷消去量が第２スキャン電極群（ＹＢ）の壁電荷消去量より大きい。また、第２サステイン電極群（ＺＢ）に徐々に下降する電圧が形成されて、第２スキャン電極群（ＹＢ）と第２サステイン電極群（ＺＢ）との電圧差が減少する。すなわち、第２サステイン電極群（ＺＢ）に印加するセットダウンパルスの最低電圧を第１サステイン電極群（ＺＴ）よりも高くすること、及び、セットダウン期間に第２サステイン電極群（ＺＢ）に徐々に下降する電圧を印加することによって、第１スキャン電極群（ＹＴ）と第２スキャン電極群（ＹＢ）の壁電荷量の差を減少させる。
【００８６】
第２スキャン電極群（ＹＢ）が第１スキャン電極（ＹＴ）より後でスキャンされるので、アドレス期間（ＡＰ）の後半部で放電セルの空間電荷と壁電荷との結合による壁電荷損失の可能性が大きくなるが、本発明の第３実施形態により第１スキャン電極群（ＹＴ）の壁電荷量と第２スキャン電極群（ＹＢ）の壁電荷量の差が減ることにより、安定したアドレス放電が可能である。また、第２スキャン電極群（ＹＢ）と第２サステイン電極群（ＺＢ）との間の放電強度が小さくなるので、コントラスト特性が向上する。
【００８７】
図８は、本発明の第４実施形態に係るプラズマディスプレイ装置を示す図である。図９は、本発明の第４実施形態に係るプラズマディスプレイ装置の駆動信号の波形図である。本発明の第４実施形態のプラズマディスプレイパネル１００、データ駆動部１１０、及び駆動電圧発生部１６０は、本発明の第１実施形態及び第２実施形態と同一であるので詳細な説明を省略する。
【００８８】
スキャン駆動部１２０’は、セットダウン期間に第１スキャン電極群（ＹＴ）に第１電圧（Ｖ１）から第２電圧（Ｖ２）まで下降する第１セットダウンパルス（ＮＲ１）と、第２スキャン電極群（ＹＢ）に第１電圧（Ｖ１）から第２電圧（Ｖ２）より高い第３電圧（Ｖ３）まで下降する第２セットダウンパルス（ＮＲ２）を供給する。スキャン駆動部１２０’は、アドレス期間に第１スキャンパルス（ＳＣＮＰ１）及び第２スキャンパルス（ＳＣＮＰ２）を供給する。第１スキャン電極群（ＹＴ）は、スキャン電極Ｙ１乃至スキャン電極Ｙｎ／２を含み、第２スキャン電極群（ＹＢ）は、スキャン電極Ｙ（ｎ／２）＋１乃至スキャン電極Ｙｎを含む。第２電圧（Ｖ２）は、第１スキャンパルス（ＳＣＮＰ１）及び第２スキャンパルス（ＳＣＮＰ２）の最低電圧（−Ｖｙ）と実質的に同一とすることができる。
【００８９】
第１サステイン駆動部１３０’は、第１スキャン電極群（ＹＴ）に第１セットダウンパルス（ＮＲ１）が供給される全体期間のうち、少なくとも一部の期間（Δｔ２）の間、第１サステイン電極群（ＺＴ）に徐々に下降する電圧を形成する。
【００９０】
第２サステイン駆動部１４０’は、第２スキャン電極群（ＹＢ）に第２セットダウンパルス（ＮＲ２）が供給される全体期間のうち、少なくとも一部の期間（Δｔ１）の間、第２サステイン電極群（ＺＢ）に徐々に下降する電圧を形成する。
Δｔ１は、Δｔ２より長くすることが好ましい。また、第２サステイン電極群（ＺＢ）の徐々に下降する電圧波形の最低値ＶＺＢ１は、第１サステイン電極群（ＺＴ）の徐々に下降する電圧波形の最低値ＶＺＴよりも低くすることが好ましい。これにより、第２スキャン電極群（ＹＢ）と第２サステイン電極群（ＺＢ）との間の放電強度が、第１スキャン電極群（ＹＴ）と第１サステイン電極群（ＺＴ）との間の放電の強度より小さくなり、その結果、第１スキャン電極群（ＹＴ）と第２スキャン電極群（ＹＢ）に残留する壁電荷量の差を小さくすることができる。
【００９１】
タイミングコントローラー１５０は、第１サステイン駆動部１３０’のスイッチ（Ｓ１乃至Ｓ４）と第２サステイン駆動部１４０のスイッチ（Ｓ５乃至Ｓ８）をターンオフさせるためのタイミング制御信号を出力する。これによって、第１サステイン駆動部１３０’と第２サステイン駆動部１４０’は、第１サステイン電極群（ＺＴ）と第２サステイン電極群（ＺＢ）がフローティング状態になるようにすることで、第１サステイン電極群（ＺＴ）と第２サステイン電極群（ＺＢ）に徐々に下降する電圧を形成する。
【００９２】
第２スキャン電極群（ＹＢ）より先にスキャン過程がなされる第１スキャン電極群（ＹＴ）に供給される第１セットダウンパルス（ＮＲ１）の第２電圧（Ｖ２）が第２セットダウンパルス（ＮＲ２）の第３電圧（Ｖ３）より低いので、第１スキャン電極群（ＹＴ）の壁電荷消去量が第２スキャン電極群（ＹＢ）の壁電荷消去量より大きい。
【００９３】
これによって、第１スキャン電極群（ＹＴ）の壁電荷量と第２スキャン電極群（ＹＢ）の壁電荷量の差が減ることにより、安定したアドレス放電が可能である。また、第１スキャン電極群（ＹＴ）と第１サステイン電極群（ＺＴ）との間、そして第２スキャン電極群（ＹＢ）と第２サステイン電極群（ＺＢ）との間の放電強度が小さくなるので、コントラスト特性が向上する。
【００９４】
前記では本発明の好ましい実施形態を参照して説明したが、該当技術分野の熟練した当業者は特許請求範囲に記載された本発明の思想及び領域から外れない範囲内で本発明を多様に修正及び変更させることができることを理解することができるはずである。
【図面の簡単な説明】
【００９５】
【図１】本発明の第１実施形態に係るプラズマディスプレイ装置を示す図である。
【図２】本発明の第１実施形態に係るプラズマディスプレイ装置の駆動信号の波形図である。
【図３】本発明の第２実施形態に係るプラズマディスプレイ装置を示す図である。
【図４】本発明の第２実施形態に係るプラズマディスプレイ装置の駆動信号の波形図である。
【図５】本発明の第２実施形態に係るプラズマ表示装置の駆動信号のうち、セットダウン期間の間に供給される駆動信号を示す図である。
【図６】本発明の第３実施形態に係るプラズマディスプレイ装置を示す図である。
【図７】本発明の第３実施形態に係るプラズマディスプレイ装置の駆動信号の波形図である。
【図８】本発明の第４実施形態に係るプラズマディスプレイ装置を示す図である。
【図９】本発明の第４実施形態に係るプラズマディスプレイ装置の駆動信号の波形図である。
【符号の説明】
【００９６】
１００    プラズマディスプレイパネル
１１０    データ駆動部
１２０    スキャン駆動部
１３０    第１サステイン駆動部
１４０    第２サステイン駆動部
１５０    タイミングコントローラー
１６０    駆動電圧発生部
【図１】
2007072464.tif 000003
【図２】
2007072464.tif 000004
【図３】
2007072464.tif 000005
【図４】
2007072464.tif 000006
【図５】
2007072464.tif 000007
【図６】
2007072464.tif 000008
【図７】
2007072464.tif 000009
【図８】
2007072464.tif 000010
【図９】
2007072464.tif 000011